(57)【特許請求の範囲】
【請求項１】
便器のトイレルーム床面への固定構造であって、便器スカート部には開口部が設けられているとともに、スカート部の裏面下方部には、内側水平方向に突出する突出片が配設されており、前記開口部近傍のスカート部裏面側には、フレーム材水平部とフレーム材垂直部とを有する略L字状のフレーム材が配置されており、
このフレーム材は、フレーム材水平部が前記突出片に固定されているとともに、フレーム材垂直部がトイレルーム床面に固定された固定片と当接対峙しており、前記開口部から挿入される固定部材が、フレーム材垂直部と固定片とを固定していることを特徴とする便器の固定構造。
【請求項２】
前記開口部にはキャップが着脱可能に嵌着していることを特徴とする請求項１に記載の便器の固定構造。
【請求項３】
固定片は、固定片垂直部と固定片水平部とを有する略L字状であり、フレーム材垂直部は、前記固定片垂直部よりも小さく形成され、前記固定片垂直部と当接対峙していることを特徴とする請求項１または２に記載の便器の固定構造。
【請求項４】
フレーム材水平部とトイレルーム床面との間には、支持部材が配設されていることを特徴とする請求項１から３のいずれかに記載の便器の固定構造。
【発明の詳細な説明】
【技術分野】
【０００１】
本発明は、便器の固定構造に関する。
【背景技術】
【０００２】
従来、便器をトイレルームの床面に固定する固定構造としては、例えば、図６に示すように、便器１０１のスカート部１０２の内側で、トイレルーム床面に固定した固定片１０３に対して、スカート部１０２に設けた貫通穴１０４に外側からネジ１０５を通して固定片１０３にねじ込んで固定するようにしている。
【０００３】
しかし、この従来の構造では、固定用のネジ１０５の頭が便器の外側面に露出し、便器の見栄えが悪いものとなっていた。
【０００４】
そこで、便器の見栄えを良好なものとするために、例えば、図７に示したような便器の固定構造が提案されている（特許文献１）。
【０００５】
この固定構造では、トイレルーム床面には水平方向に突出する固定ピン１０６を有する固定片１０７が設けられていると共に、便器スカート部の内側には、一体形成で固定ピン１０６が差し込まれる固定ピン差込部１０８が形成され、便器載置後に、トイレルーム後方に移動させることによって、固定ピン１０６を固定ピン差込部１０８に挿入差込みすることで便器を固定するようにしているため、便器の外側面に固定ピン１０６が露出することはなく、便器の見栄えは良好なものとされている。
【０００６】
しかしながら、特許文献１の固定構造は、固定ピンの高さ調節機構が備えられてはいるものの、固定ピンの位置および高さを固定ピン差込部に誤差なく調整して差し込むことは容易ではなく、施工時の負担が大きいものとなる。また、この構造では、固定強度が必ずしも十分ではなく、さらには、便器を前後左右に移動可能とするためにパッキンや排水ソケットなどに特殊な部材を使用する場合には、便器の内部構造上、このような固定構造を採用することができない場合もある。
【０００７】
一方、従来、一般的には、便器は陶器製であったが、近年、樹脂製の便器が開発され注目されている。このような樹脂製の便器は、便器に汚れが付着しにくく、便器清掃の負担が軽減されるという利点がある。
【０００８】
しかしながら、樹脂製の便器は、外力に対しては比較的弱いため、図６のような従来のネジ締め固定による構造によって便器を床面に固定すると、便器にネジ締めの圧力が直接かかり、ヒビや割れが生じてしまうという問題が懸念される。また、特許文献１のような構成とする場合にも、上記と同様の問題点を解消することは必須であった。
【特許文献１】特開2006−328833号公報
【発明の開示】
【発明が解決しようとする課題】
【０００９】
本発明は、以上の通りの背景から、洋風便器のトイレルーム床面への固定に際しても、従来のようなネジ締め等による固定圧力をかけることなく便器を簡便な作業で固定可能で、固定強度も良好で、さらに、固定後の便器の意匠性にも優れた汎用性のある、新しい便器の固定構造を提供することを課題としている。
【課題を解決するための手段】
【００１０】
本発明は、上記の課題を解決するために、第１に、便器のトイレルーム床面への固定構造であって、便器スカート部には開口部が設けられているとともに、スカート部の裏面下方部には、内側水平方向に突出する突出片が配設されており、前記開口部近傍のスカート部裏面側には、フレーム材水平部とフレーム材垂直部とを有する略L字状のフレーム材が配置されており、このフレーム材は、フレーム材水平部が前記突出片に固定されているとともに、フレーム材垂直部がトイレルーム床面に固定された固定片と当接対峙しており、前記開口部から挿入される固定部材が、フレーム材垂直部と固定片とを固定していることを特徴とする便器の固定構造を提供する。
【００１１】
そして、第２には、前記開口部にはキャップが着脱可能に嵌着していることを特徴とする前記便器の固定構造を提供し、第３には、固定片は、固定片垂直部と固定片水平部とを有する略L字状であり、フレーム材垂直部は、前記固定片垂直部よりも小さく形成され、前記固定片垂直部と当接対峙していることを特徴とする前記第１、第２の便器の固定構造を提供し、第４には、フレーム材水平部とトイレルーム床面との間には、支持部材が配設されていることを特徴とする前記第１から第３の便器の固定構造を提供する。
【発明の効果】
【００１２】
上記第１の発明によれば、便器スカート部に設けられた開口部から挿入される固定部材によって、フレーム材とトイレルーム床面に固定された固定片とを固定するだけで便器を床面に固定することができ、便器の固定作業は簡便である。さらに、例えば、固定部材としてネジを用いた場合には、ネジ締めによる固定圧力はフレーム材にかかることとなり、便器が樹脂製の場合であっても、便器にヒビや割れが生じることがない。また、フレーム材とスカート部裏面との固定強度が向上し、便器固定の安定性を向上させることができる。
【００１３】
上記第２の発明によれば、上記の発明の効果に加え、便器外観の意匠性が向上する。
【００１４】
上記第３の発明によれば、上記発明の効果に加え、フレーム材垂直部と固定片垂直部の連結固定を容易にすることができる。さらに、上記第４の発明によれば、フレーム材による固定強度をさらに高めることができる。
【発明を実施するための最良の形態】
【００１５】
図１は、本発明の便器の固定構造の第１の実施形態を示した断面図および要部拡大図であり、図２は、図１に例示した便器の固定構造の拡大部を示した斜視図である。なお、図１において、便座、便蓋等は省略して図示していない。
【００１６】
例えば、この図１に示した実施形態では、便器１のスカート部２に設けられた開口部３近傍の、より具体的には開口部３よりも下方の裏側面にはフレーム材４が配置されている。さらに、トイレルーム床面の所定の位置には、固定片５が固定片水平部５ｂで固定部材６１によって固定されている。
【００１７】
そして、便器排水管７をゴムジョイント８が装着された床面の排水管９に挿入した状態で、図１、図２に示すように、フレーム材垂直部４aと固定片垂直部５aが対峙配置され、開口部３から挿入された固定部材６２によってフレーム材垂直部４aと固定片垂直部５aとが固定されることで、便器１がトイレルーム床面に固定されている。
【００１８】
なお、図１においては、特許文献１と同様の便器排水管７の形状を例示しているが、便器１が陶器製または樹脂製のいずれの場合であっても、便器排水管７の形状は図１に示す形状に限定されることはなく、適宜変更することが可能である。
【００１９】
また、図１、図２に例示する実施形態においては、スカート部２の裏面下方部に内側水平方向に延出する突出片１０が設けられている。この突出片１０は、スカート部２の裏面と一体として形成することもでき、また、別部材をスカート部２の裏面に接着固定して形成することもできる。このような突出片１０を設けることで、フレーム材４の固定箇所、面積が増えるため、フレーム材４をスカート部２の裏面に高い強度で固定することができる。
【００２０】
そして、フレーム材４と突出片１０の固定方法は、ネジ、杭による固定の他、接着剤を用いて固定することができる。突出片１０が便器１と同様に樹脂製である場合には、ネジ締めなどの固定圧力により、ひびや割れが生じることが考えられるため、接着固定とすることが好ましい。
【００２１】
さらに、図１、２に示すように、開口部３は、ネジなどの固定部材６２の挿入および固定作業が可能な大きさとされ、便器１の固定後には、この開口部３にキャップ１１が着脱自在に嵌着して開口を覆うことで、便器１の外観の意匠性が向上する。そして、便器１の外観意匠性を考慮して、キャップ１１は、スカート部２と同一の色調、材質とすることが好ましい。
【００２２】
図３（a）は、本発明の便器の固定構造における固定片の一実施形態を例示した斜視図であり、図３（b）本発明の便器の固定構造における固定片に補強材を配設した例を示す斜視図である。
【００２３】
固定片５は、トイレルーム床面およびフレーム材４との固定が可能であれば、形状は特に限定されないが、例えば、図３（a）（b）に示すように、垂直部５aと水平部５bからなる断面略L字形状とすることができる。略L字形状とすることで、床面およびフレーム材4とネジや杭などによって容易に固定することができる。
【００２４】
また、固定片５の材料についても同様に、固定方法や床材料等を考慮して、適宜な材料を使用することができるが、ネジや杭により固定する場合には、木片を使用することができる。
【００２５】
さらに、ネジを用いて、固定片５を床面に固定する場合には、固定片の水平部５bにネジ挿入穴を設けることで、ネジ固定を容易にすることもできる。
【００２６】
また、固定片５を図３に示すようなL字形状とした場合には、例えば、図３(b)に示すように垂直部５aと水平部５bの間に補強材12を配設することで、固定片の強度を向上させ、便器の固定をより安定させることもできる。
【００２７】
図４は、本発明の便器の固定構造におけるフレーム材の一実施形態を例示した斜視図である。
【００２８】
フレーム材４は、スカート部２の裏面および固定片５と固定可能であれば、形状、構成は特に限定されないが、例えば、図１、２に示すように、スカート部２の裏面下方部に内側水平方向に延出する突出片１０を設けた場合には、図４に示すように、略L字型形状とすることができ、フレーム材４とトイレルーム床面との間には支持部材１３を配設することもできる。
【００２９】
図４に例示した実施形態においては、図１、２に示したように、フレーム材水平部4bは、突出片１０と固定され、フレーム材垂直部４aは、固定片垂直部５aと当接対峙される。そして、ネジなどの固定部材６２がフレーム材の垂直部４aと固定片の垂直部５aとを固定する。フレーム材垂直部4aは、固定片垂直部５aより小さく形成することが好ましく、これにより、フレーム材垂直部4aと固定片垂直部５aの連結固定を容易にすることができる。さらに、固定部材６２による固定片５への固定を容易にするため、フレーム材垂直部４aには、固定部材挿入穴を設け、この固定部材挿入穴を通して、固定部材６２を固定片５へ固定することもできる。
【００３０】
また、突出片１０を設けない場合には、スカート部２の裏面とフレーム材の水平部４bの側面が接着固定されることになる。
【００３１】
そして、フレーム材4および支持部材１３は、固定強度を考慮して、金属製または樹脂製とすることが好ましい。図４に示した実施形態においては、支持部材１３は、フレーム材4と別体として示されているがフレーム材4と一体として形成することもでき、また、十分な固定強度が保証される場合には、必ずしも支持部材１３を設ける必要はない。
【００３２】
次に、本発明による便器の固定手順について、図１、２に記載した便器を例に、図５を用いて説明する。
【００３３】
図５は、便器の据え付け方法を例示した断面図である。本発明によって便器１を固定する際には、例えば図５に示すように、まず、床面の表面仕上げを行なった後、排水管９を床面より高い位置で切断し、その接段部にゴムジョイント８を配設する。
【００３４】
次に、略L字型の固定片５を、固定部材６１によって床面に固定する。固定部材６１は複数個を貫通させてもよく、また、固定片水平部５ｂには予め固定部材６１のための貫通口を設けておくこともできる。
【００３５】
固定片５の位置は、便器１を所定の位置に配置した時に、フレーム材垂直部４aと固定片垂直部５aが当接対峙するように位置取りする。
【００３６】
このようにして固定片５を床面に固定した後、図５の矢印に示すように、便器１を床面の所定位置に配置する。そして、開口部３から固定部材６２を挿入し、フレーム材４と固定片５を固定することによって、便器１を床面に固定する。  
【００３７】
このように、本発明の固定構造によれば、固定部材６２による固定圧力は、すべてフレーム材垂直部４aにかかることになり、スカート部2には、固定部材６２による固定圧力は全くかからない。したがって、便器１の素材として樹脂材料を使用した場合にも、便器１にヒビや割れが生じることはない。さらに、ネジなどの固定部材６２が、フレーム材４と固定片５とを固定しているため、固定強度も十分なものとなる。
【００３８】
また、フレーム材垂直部４aと固定片垂直部５aが対峙した状態で、固定部材６２により固定されるため、固定作業時に、フレーム材垂直部４aと固定片垂直部５aの位置関係に多少のずれが生じても問題とはならず、施工時における負担は少ないものとなる。
【００３９】
そして、便器固定後には、スカート部２の開口部３にキャップ１１を嵌合させるなどして、開口を覆うことができ、便器の外観の意匠性も良好なものとなる。
【図面の簡単な説明】
【００４０】
【図１】本発明の便器の固定構造の一実施形態を例示した断面図及び要部拡大図である。
【図２】図１に示した便器の固定構造の要部拡大斜視図である。
【図３】（a）本発明の便器の固定構造における固定片の一実施形態を例示した斜視図である。(b) 本発明の便器の固定構造における固定片に補強材を配設した例を示す斜視図である。
【図４】本発明の便器の固定構造におけるフレーム材の一実施形態を例示した斜視図である。
【図５】本発明の便器の固定構造における便器の据え付け方法を例示する断面図である。
【図６】従来の便器の固定構造を示した断面図である。
【図７】従来の便器の固定構造を示した断面図である。
【符号の説明】
【００４１】
１  便器
２  スカート部
３  開口部
４  フレーム材
４a  垂直部
４b  水平部
５  固定片
５a  垂直部
５b  水平部
６１  固定部材
６２  固定部材
７  便器排水管
８  ゴムジョイント
９  排水管
１０  突出片
１１  キャップ
１２  補強材
１３  支持部材
【図１】
0005134939.tif 000002
【図２】
0005134939.tif 000003
【図３】
0005134939.tif 000004
【図４】
0005134939.tif 000005
【図５】
0005134939.tif 000006
【図６】
0005134939.tif 000007
【図７】
0005134939.tif 000008